(57)【要約】      （修正有）【課題】放電灯の寿命を向上できるプロジェクターを提供する。【解決手段】プロジェクター５００Ａは、発光管を有し光を射出する放電灯９０と、放電灯から射出される光を画像信号に応じて変調する光変調装置３３０Ｒ，３３０Ｇ，３３０Ｂと、光変調装置３３０Ｒ，３３０Ｇ，３３０Ｂにより変調された光を投射する投射光学系３５０と、放電灯９０から射出される光のうち所定の可視光線Ｂ，Ｒを検出する検出部１１と、検出部１１によって検出された所定の可視光線Ｂ，Ｒの光量に基づいて、発光管の劣化状態を判断する制御部と、を備える。【選択図】図１
2016173451.tif 000002
【特許請求の範囲】
【請求項１】
発光管を有し光を射出する放電灯と、
前記放電灯から射出される光を画像信号に応じて変調する光変調装置と、
前記光変調装置により変調された光を投射する投射光学系と、
前記放電灯から射出される光のうち所定の可視光線を検出する検出部と、
前記検出部によって検出された前記所定の可視光線の光量に基づいて、前記発光管の劣
化状態を判断する制御部と、
を備えることを特徴とするプロジェクター。
【請求項２】
前記所定の可視光線は、第１可視光線と、前記第１可視光線と波長が異なる第２可視光
線と、を含み、
前記制御部は、前記第１可視光線の光量と前記第２可視光線の光量との比に基づいて、
前記発光管の劣化状態を判断する、請求項１に記載のプロジェクター。
【請求項３】
前記第１可視光線は、短波長域の光であり、
前記第２可視光線は、長波長域の光である、請求項２に記載のプロジェクター。
【請求項４】
前記所定の可視光線は、短波長域の光である、請求項１に記載のプロジェクター。
【請求項５】
前記検出部は、前記放電灯と前記光変調装置との間の光路上に配置される、請求項１か
ら４のいずれか一項に記載のプロジェクター。
【請求項６】
前記放電灯から射出された光を所定方向へ反射する反射鏡と、
前記反射鏡によって反射される光が入射する光学部品と、をさらに備え、
前記検出部は、前記反射鏡と前記光学部品との間の光路上に配置される、請求項５に記
載のプロジェクター。
【請求項７】
前記検出部は、前記投射光学系から射出される光のうち前記所定の可視光線を検出する
、請求項１から４のいずれか一項に記載のプロジェクター。
【請求項８】
前記制御部は、前記所定の可視光線の光量と前記光変調装置の劣化状態とに基づいて、
前記発光管の劣化状態を判断する、請求項７に記載のプロジェクター。
【請求項９】
前記制御部は、前記所定の可視光線の光量と前記放電灯の電極間電圧とに基づいて、前
記発光管の劣化状態を判断する、請求項１から８のいずれか一項に記載のプロジェクター
。
【請求項１０】
前記放電灯を冷却可能な冷却装置をさらに備え、
前記制御部は、判断した前記発光管の劣化状態に基づいて前記冷却装置を制御する、請
求項１から９のいずれか一項に記載のプロジェクター。
【請求項１１】
前記放電灯に駆動電力を供給する放電灯駆動部をさらに備え、
前記制御部は、判断した前記発光管の劣化状態に基づいて前記放電灯駆動部を制御する
、請求項１から１０のいずれか一項に記載のプロジェクター。
【請求項１２】
外部に前記発光管の劣化状態を示す状態信号を出力可能な外部出力装置をさらに備え、
前記制御部は、判断した前記発光管の劣化状態に基づいて前記外部出力装置に前記状態
信号を出力させる、請求項１から１１のいずれか一項に記載のプロジェクター。
【請求項１３】
発光管を有し光を射出する放電灯と、前記放電灯から射出される光を画像信号に応じて
変調する光変調装置と、前記光変調装置により変調された光を投射する投射光学系と、を
備えるプロジェクターの制御方法であって、
前記放電灯から射出される光のうち所定の可視光線を検出することと、
検出した前記所定の可視光線の光量に基づいて、前記発光管の劣化状態を判断すること
と、
を含むことを特徴とするプロジェクターの制御方法。
【発明の詳細な説明】
【技術分野】
【０００１】
本発明は、プロジェクター、およびプロジェクターの制御方法に関する。
【背景技術】
【０００２】
例えば、特許文献１には、ランプ電圧が基準電圧以下の場合に、放電灯の状態を異常と
判断するプロジェクターが記載されている。
【先行技術文献】
【特許文献】
【０００３】
【特許文献１】特開２００７−５９２８１号公報
【発明の概要】
【発明が解決しようとする課題】
【０００４】
放電灯の照度が低下する原因の一つとして失透が挙げられる。失透は、放電灯の発光管
内壁が高熱となることで結晶化し、白濁する現象である。発光管の失透した部分において
は光の透過率が低下するため、結果として放電灯の照度が低下する。
【０００５】
失透は、ランプ電圧の値によらず発生する。そのため、上記プロジェクターのように、
ランプ電圧の値のみを検出することによっては、失透が発生したことを検出することは困
難である。したがって、放電灯の劣化状態を正確に把握できず、放電灯の寿命が低下する
場合があった。
【０００６】
本発明の一つの態様は、上記問題点に鑑みて成されたものであって、放電灯の寿命を向
上できるプロジェクター、および放電灯の寿命を向上できるプロジェクターの制御方法を
提供することを目的の一つとする。
【課題を解決するための手段】
【０００７】
本発明のプロジェクターの一つの態様は、発光管を有し光を射出する放電灯と、前記放
電灯から射出される光を画像信号に応じて変調する光変調装置と、前記光変調装置により
変調された光を投射する投射光学系と、前記放電灯から射出される光のうち所定の可視光
線を検出する検出部と、前記検出部によって検出された前記所定の可視光線の光量に基づ
いて、前記発光管の劣化状態を判断する制御部と、を備えることを特徴とする。
【０００８】
本発明のプロジェクターの一つの態様によれば、所定の可視光線の光量に基づいて発光
管の劣化状態を判断できるため、放電灯の劣化状態を正確に把握しやすい。これにより、
劣化した放電灯に対して適切に処置を行うことができる。したがって、本発明のプロジェ
クターの一つの態様によれば、放電灯の寿命を向上できる。
【０００９】
前記所定の可視光線は、第１可視光線と、前記第１可視光線と波長が異なる第２可視光
線と、を含み、前記制御部は、前記第１可視光線の光量と前記第２可視光線の光量との比
に基づいて、前記発光管の劣化状態を判断する構成としてもよい。
この構成によれば、放電灯から射出される光の光量が変化する場合であっても、発光管
の劣化状態を正確に判断しやすい。
【００１０】
前記第１可視光線は、短波長域の光であり、前記第２可視光線は、長波長域の光である
構成としてもよい。
この構成によれば、発光管が劣化したことをより迅速に判断できる。また、発光管の劣
化度合いをより正確に判断しやすい。
【００１１】
前記所定の可視光線は、短波長域の光である構成としてもよい。
この構成によれば、発光管の劣化状態をより正確に判断しやすい。
【００１２】
前記検出部は、前記放電灯と前記光変調装置との間の光路上に配置される構成としても
よい。
この構成によれば、第１可視光線の光量と第２可視光線の光量との比の変化をより精度
よく検出できるため、発光管の劣化状態をより精度よく検出できる。
【００１３】
前記放電灯から射出された光を所定方向へ反射する反射鏡と、前記反射鏡によって反射
される光が入射する光学部品と、をさらに備え、前記検出部は、前記反射鏡と前記光学部
品との間の光路上に配置される構成としてもよい。
この構成によれば、１種類の所定の可視光線の光量を検出することで、発光管の劣化状
態を判断しやすい。
【００１４】
前記検出部は、前記投射光学系から射出される光のうち前記所定の可視光線を検出する
構成としてもよい。
この構成によれば、検出部によって投射光学系から射出される光の光量が減少すること
を防止できる。
【００１５】
前記制御部は、前記所定の可視光線の光量と前記光変調装置の劣化状態とに基づいて、
前記発光管の劣化状態を判断する構成としてもよい。
この構成によれば、発光管の劣化状態をより正確に判断できる。
【００１６】
前記制御部は、前記所定の可視光線の光量と前記放電灯の電極間電圧とに基づいて、前
記発光管の劣化状態を判断する構成としてもよい。
この構成によれば、発光管の劣化状態をより正確に判断できる。
【００１７】
前記放電灯を冷却可能な冷却装置をさらに備え、前記制御部は、判断した前記発光管の
劣化状態に基づいて前記冷却装置を制御する構成としてもよい。
この構成によれば、発光管の劣化状態に応じて、放電灯の冷却度合を適切に制御できる
ため、放電灯の寿命を向上できる。
【００１８】
前記放電灯に駆動電力を供給する放電灯駆動部をさらに備え、前記制御部は、判断した
前記発光管の劣化状態に基づいて前記放電灯駆動部を制御する構成としてもよい。
この構成によれば、発光管の劣化状態に応じて、放電灯駆動部による放電灯の駆動を適
切に制御できるため、放電灯の寿命を向上できる。
【００１９】
外部に前記発光管の劣化状態を示す状態信号を出力可能な外部出力装置をさらに備え、
前記制御部は、判断した前記発光管の劣化状態に基づいて前記外部出力装置に前記状態信
号を出力させる構成としてもよい。
この構成によれば、発光管の劣化状態を使用者に伝達することが可能である。
【００２０】
本発明のプロジェクターの制御方法は、発光管を有し光を射出する放電灯と、前記放電
灯から射出される光を画像信号に応じて変調する光変調装置と、前記光変調装置により変
調された光を投射する投射光学系と、を備えるプロジェクターの制御方法であって、前記
放電灯から射出される光のうち所定の可視光線を検出することと、検出した前記所定の可
視光線の光量に基づいて、前記発光管の劣化状態を判断することと、を含むことを特徴と
する。
【００２１】
本発明のプロジェクターの制御方法の一つの態様によれば、上述したのと同様に、放電
灯の寿命を向上できる。
【図面の簡単な説明】
【００２２】
【図１】本実施形態のプロジェクターの概略構成図である。
【図２】本実施形態の光源装置の構成を示す断面図である。
【図３】本実施形態の放電灯の部分拡大断面図である。
【図４】本実施形態のプロジェクターの各種構成要素を示すブロック図である。
【図５】光の波長ごとの発光管の直進透過率を示すグラフである。
【図６】本実施形態のプロジェクター他の一例における部分を示す図である。
【発明を実施するための形態】
【００２３】
以下、図面を参照しながら、本発明の実施形態に係るプロジェクターについて説明する
。
なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００２４】
図１に示すように、本実施形態のプロジェクター５００Ａは、光源装置２００と、平行
化レンズ（光学部品）３０５と、照明光学系３１０と、色分離光学系３２０と、３つの液
晶ライトバルブ（光変調装置）３３０Ｒ，３３０Ｇ，３３０Ｂと、クロスダイクロイック
プリズム３４０と、投射光学系（投射光学装置）３５０と、を備える。
【００２５】
光源装置２００から射出された光は、平行化レンズ３０５に入射する。より詳細には、
平行化レンズ３０５には、後述する主反射鏡１１２によって反射される光が入射する。平
行化レンズ３０５は、光源装置２００からの光を平行化する。平行化レンズ３０５を通過
した光は、照明光学系３１０に入射する。
【００２６】
照明光学系３１０は、光源装置２００から射出される光の照度を、液晶ライトバルブ３
３０Ｒ，３３０Ｇ，３３０Ｂ上において均一化するように調整する。さらに、照明光学系
３１０は、光源装置２００から射出される光の偏光方向を一方向に揃える。その理由は、
光源装置２００から射出される光を液晶ライトバルブ３３０Ｒ，３３０Ｇ，３３０Ｂで有
効に利用するためである。照明光学系３１０は、例えば、２つのマルチレンズアレイ３１
１を有する。
【００２７】
照度分布と偏光方向とが調整された光は、色分離光学系３２０に入射する。色分離光学
系３２０は、入射光を赤色光Ｒ、緑色光Ｇ、青色光Ｂの３つの色光に分離する。３つの色
光は、各色光に対応付けられた液晶ライトバルブ３３０Ｒ，３３０Ｇ，３３０Ｂにより、
画像信号に応じてそれぞれ変調される。液晶ライトバルブ３３０Ｒ，３３０Ｇ，３３０Ｂ
は、後述する液晶パネル５６０Ｒ，５６０Ｇ，５６０Ｂと、偏光板（図示せず）と、を有
する。偏光板は、液晶パネル５６０Ｒ，５６０Ｇ，５６０Ｂのそれぞれの光入射側および
光射出側に配置される。
【００２８】
変調された３つの色光は、クロスダイクロイックプリズム３４０により合成される。合
成光は投射光学系３５０に入射する。投射光学系３５０は、入射光をスクリーン７００（
図４参照）に投射する。これにより、スクリーン７００上に映像が表示される。なお、平
行化レンズ３０５、照明光学系３１０、色分離光学系３２０、クロスダイクロイックプリ
ズム３４０、投射光学系３５０の各々の構成としては、周知の構成を採用することができ
る。
【００２９】
図２は、光源装置２００の構成を示す断面図である。図２には、光源ユニット２１０の
断面図が示されている。図２においては、放電灯９０から射出される光の照射方向（所定
方向）を矢印Ｄで示している。照射方向は、放電灯９０の光軸ＡＸと平行である。なお、
本明細書において照射方向とは、放電灯９０から照射される光全体の照射方向を含む。ま
た、以下の説明においては、照射方向（＋Ｄ方向）と反対方向（−Ｄ方向）を、単に反対
方向と呼ぶ。
【００３０】
光源装置２００は、図２に示すように、放電灯点灯装置（放電灯駆動部）１０と、光源
ユニット２１０と、を有する。光源ユニット２１０は、放電灯９０と、主反射鏡（反射鏡
）１１２と、副反射鏡１１３と、を有する。
【００３１】
放電灯点灯装置１０は、起動時に放電灯９０の電極間に高電圧を発生し、絶縁破壊を生
じさせて放電路を形成する。以後、放電灯点灯装置１０は、放電灯９０が放電を維持する
ための駆動電流Ｉを供給する。これにより、放電灯点灯装置１０は、放電灯９０を点灯さ
せる。
【００３２】
放電灯９０は、光を射出する。放電灯９０は、発光管５１０と、第１電極９２および第
２電極９３と、を有する。
【００３３】
発光管５１０の形状は、照射方向（＋Ｄ方向）に沿って延びる棒状である。発光管５１
０の反対方向（−Ｄ方向）側の端部を第１端部９０ｅ１とする。発光管５１０の照射方向
（＋Ｄ方向）側の端部を第２端部９０ｅ２とする。発光管５１０の材料は、例えば、石英
ガラス等の透光性材料である。発光管５１０の中央部は球状に膨らんでおり、その内部は
放電空間９１である。放電空間９１には、水銀、希ガス、金属ハロゲン化合物等を含む放
電媒体であるガスが封入されている。
【００３４】
放電空間９１には、第１電極９２および第２電極９３の先端が突出している。第１電極
９２は、放電空間９１の第１端部９０ｅ１側（−Ｄ方向側）に配置されている。第２電極
９３は、放電空間９１の第２端部９０ｅ２側（＋Ｄ方向側）に配置されている。第１電極
９２および第２電極９３の形状は、光軸ＡＸに沿って延びる棒状である。放電空間９１に
は、第１電極９２および第２電極９３の電極先端部が、所定距離だけ離れて対向するよう
に配置されている。第１電極９２および第２電極９３の材料は、例えば、タングステン等
の金属である。
【００３５】
図３は、放電灯９０の部分を示す拡大断面図である。
第１電極９２は、図３に示すように、芯棒５３３と、コイル部５３２と、本体部５３１
と、突起５３１ｐと、を有する。第１電極９２は、発光管５１０への封入前の段階におい
て、芯棒５３３に電極材（タングステン等）の線材を巻き付けてコイル部５３２を形成し
、形成されたコイル部５３２を加熱・溶融することにより形成される。これにより、第１
電極９２の先端側には、熱容量が大きい本体部５３１と、アークＡＲの発生位置となる突
起５３１ｐが形成される。
【００３６】
第２電極９３は、芯棒５４３と、コイル部５４２と、本体部５４１と、突起５４１ｐと
、を有する。第２電極９３は、第１電極９２と同様にして形成される。
【００３７】
図２に示すように、発光管５１０の第１端部９０ｅ１には、第１端子５３６が設けられ
ている。第１端子５３６と第１電極９２とは、放電灯９０の内部を貫通する導電性部材５
３４により電気的に接続されている。同様に、発光管５１０の第２端部９０ｅ２には、第
２端子５４６が設けられている。第２端子５４６と第２電極９３とは、放電灯９０の内部
を貫通する導電性部材５４４により電気的に接続されている。第１端子５３６および第２
端子５４６の材料は、例えば、タングステン等の金属である。導電性部材５３４，５４４
の材料としては、例えば、モリブデン箔が利用される。
【００３８】
第１端子５３６および第２端子５４６は、放電灯点灯装置１０に接続されている。放電
灯点灯装置１０は、第１端子５３６および第２端子５４６に、放電灯９０を駆動するため
の駆動電力を供給する。その結果、第１電極９２および第２電極９３の間でアーク放電が
起きる。アーク放電により発生した光（放電光）は、破線の矢印で示すように、放電位置
から全方向に向かって放射される。
【００３９】
図３に示すように、放電灯９０を点灯すると、放電空間９１内に封入されたガスは、ア
ークＡＲの発生により加熱され、放電空間９１内において対流する。詳細には、アークＡ
Ｒおよびその付近の領域は極めて高温となるため、放電空間９１内において、アークＡＲ
から鉛直方向上側に流れる対流ＡＦ（図３に一点鎖線の矢印で示す）が形成される。対流
ＡＦは、発光管５１０の内壁に当たって発光管５１０の内壁に沿って移動し、第１電極９
２および第２電極９３の芯棒５３３，５４３等を通過することによって冷却されつつ降下
する。
【００４０】
降下した対流ＡＦは、発光管５１０の内壁に沿って更に降下するが、アークＡＲの鉛直
方向下側で互いに衝突して上方のアークＡＲに戻されるように上昇する。対流ＡＦが、発
光管５１０の内壁を沿って移動することによって、発光管５１０は加熱される。
【００４１】
ここで、対流ＡＦは、アークＡＲの鉛直方向上側において最も温度が高く、アークＡＲ
の鉛直方向下側において最も温度が低い。そのため、アークＡＲの鉛直方向上側において
対流ＡＦと接触する発光管５１０の頂部５１０ａが、発光管５１０において最も高温とな
る最熱部となる。また、アークＡＲの鉛直方向下側において対流ＡＦと接触する発光管５
１０の底部５１０ｂが、発光管５１０において最も低温となる最冷部となる。
【００４２】
主反射鏡１１２は、図２に示すように、固定部材１１４により、発光管５１０の第１端
部９０ｅ１に取り付けられている。主反射鏡１１２は、放電灯９０から射出された光（放
電光）を照射方向（＋Ｄ方向）へ反射する。主反射鏡１１２は、放電灯９０から射出され
た光のうち、反対方向（−Ｄ方向）に向かって進む光を照射方向（＋Ｄ方向）に向かって
反射する。
【００４３】
主反射鏡１１２の反射面の形状は、放電光を照射方向（＋Ｄ方向）に向かって反射でき
る範囲内において、特に限定されず、例えば、回転楕円形状であっても、回転放物線形状
であってもよい。例えば、主反射鏡１１２の反射面の形状を回転放物線形状とした場合、
主反射鏡１１２は、放電光を光軸ＡＸに略平行な光に変換することができる。これにより
、平行化レンズ３０５を省略することができる。
【００４４】
副反射鏡１１３は、固定部材５２２により、発光管５１０の第２端部９０ｅ２側（＋Ｄ
方向側）に固定されている。副反射鏡１１３の放電灯９０側の面（反射面）の形状は、放
電空間９１の第２端部９０ｅ２側（＋Ｄ方向側）の部分を囲む球面形状である。副反射鏡
１１３は、放電光のうち、主反射鏡１１２が配置された側と反対側（＋Ｄ方向側）に向か
って進む光を主反射鏡１１２に向かって反射する。これにより、放電空間９１から放射さ
れる光の利用効率を高めることができる。
【００４５】
固定部材１１４，５２２の材料は、放電灯９０からの発熱に耐え得る耐熱材料である範
囲内において、特に限定されず、例えば、無機接着剤である。
【００４６】
以下、プロジェクター５００Ａの回路構成について説明する。
図４は、本実施形態のプロジェクター５００Ａの回路構成の一例を示す図である。プロ
ジェクター５００Ａは、図１に示した構成の他、図４に示すように、画像信号変換部５０
１と、画像処理装置５７０と、直流電源装置８０と、液晶パネル５６０Ｒ，５６０Ｇ，５
６０Ｂと、受光器（検出部）１１と、冷却装置５０と、外部出力装置５５０と、制御装置
（制御部）４０と、を備える。
【００４７】
画像信号変換部５０１は、外部から入力された画像信号５０２（輝度−色差信号やアナ
ログＲＧＢ信号など）を所定のワード長のデジタルＲＧＢ信号に変換して画像信号５１２
Ｒ，５１２Ｇ，５１２Ｂを生成し、画像処理装置５７０に供給する。
【００４８】
画像処理装置５７０は、３つの画像信号５１２Ｒ，５１２Ｇ，５１２Ｂに対してそれぞ
れ画像処理を行う。画像処理装置５７０は、液晶パネル５６０Ｒ，５６０Ｇ，５６０Ｂを
それぞれ駆動するための駆動信号５７２Ｒ，５７２Ｇ，５７２Ｂを液晶パネル５６０Ｒ，
５６０Ｇ，５６０Ｂに供給する。
【００４９】
直流電源装置８０は、外部の交流電源６００から供給される交流電圧を一定の直流電圧
に変換する。直流電源装置８０は、トランス（図示しないが、直流電源装置８０に含まれ
る）の２次側にある画像信号変換部５０１、画像処理装置５７０およびトランスの１次側
にある放電灯点灯装置１０に直流電圧を供給する。
【００５０】
液晶パネル５６０Ｒ，５６０Ｇ，５６０Ｂは、前述した液晶ライトバルブ３３０Ｒ，３
３０Ｇ，３３０Ｂにそれぞれ設けられている。液晶パネル５６０Ｒ，５６０Ｇ，５６０Ｂ
は、それぞれ駆動信号５７２Ｒ，５７２Ｇ，５７２Ｂに基づいて、前述した光学系を介し
て各液晶パネル５６０Ｒ，５６０Ｇ，５６０Ｂに入射される色光の透過率（輝度）を変調
する。
【００５１】
受光器１１は、放電灯９０から射出される光のうち所定の可視光線を検出する。本実施
形態において受光器１１が検出する可視光線は、例えば、短波長域の光である青色光（第
１可視光線）Ｂと、長波長域の光である赤色光（第２可視光線）Ｒとである。すなわち、
本実施形態において所定の可視光線は、青色光Ｂと、青色光Ｂと波長が異なる赤色光Ｒと
、を含む。受光器１１は、検出した青色光Ｂの光量および赤色光Ｒの光量の情報を制御装
置４０に伝達する。
【００５２】
なお、本明細書において、青色光Ｂは、例えば、波長が４３０ｎｍ以上、４９０ｎｍ以
下の光を含む。また、本明細書において、赤色光Ｒは、例えば、波長が６２０ｎｍ以上、
８１０ｎｍ以下の光を含む。
また、以下の説明においては、青色光Ｂの光量および赤色光Ｒの光量の情報を、単に、
可視光線の光量の情報と呼ぶ場合がある。
【００５３】
図１に示すように、本実施形態において受光器１１は、青色光受光器（検出部）１１Ｂ
と、赤色光受光器（検出部）１１Ｒと、の２つの受光器を含む。本実施形態において青色
光受光器１１Ｂと赤色光受光器１１Ｒとは、放電灯９０と液晶ライトバルブ３３０Ｒ，３
３０Ｇ，３３０Ｂとの間の光路上に配置される。
【００５４】
より詳細には、青色光受光器１１Ｂと赤色光受光器１１Ｒとは、色分離光学系３２０を
構成する光学部品同士の間の光路上に配置される。青色光受光器１１Ｂは、色分離光学系
３２０によって分離された青色光Ｂの光路上に配置される。赤色光受光器１１Ｒは、色分
離光学系３２０によって分離された赤色光Ｒの光路上に配置される。
【００５５】
青色光受光器１１Ｂの構成は、青色光Ｂを受光できるならば、特に限定されない。赤色
光受光器１１Ｒの構成は、赤色光Ｒを受光できるならば、特に限定されない。
【００５６】
図４に示す冷却装置５０は、例えば、ファンにより構成されている。冷却装置５０のフ
ァンは、例えば、シロッコファンで構成されている。冷却装置５０のファンは、プロジェ
クター５００Ａの筐体内または筐体外の空気を吸引して、光源ユニット２１０に送風する
。冷却装置５０は、光源ユニット２１０の放電灯９０を冷却可能である。
【００５７】
外部出力装置５５０は、外部に発光管５１０の劣化状態を示す状態信号を出力可能であ
る。劣化状態を示す状態信号とは、例えば、発光管５１０に発生した失透度合いを示す信
号、発光管５１０が劣化したことに基づく放電灯９０の交換時期を示す信号等、を含む。
状態信号は、例えば、光の明滅によるものでもよいし、画像であってもよいし、音であっ
てもよい。外部出力装置５５０の構成は、状態信号を外部に出力できるならば、特に限定
されない。外部出力装置５５０は、例えば、プロジェクター５００Ａの筐体表面に設けら
れるインジケーターランプまたはディスプレイであってもよいし、音を出力するスピーカ
ーであってもよい。
【００５８】
制御装置４０は、プロジェクター５００Ａの点灯開始から消灯に至るまでの各種の動作
を制御する。制御装置４０は、駆動電流Ｉの駆動電流波形に従って放電灯点灯装置１０を
制御する。制御装置４０は、点灯命令や消灯命令を放電灯点灯装置１０に出力する。制御
装置４０は、放電灯点灯装置１０から放電灯９０の点灯情報を受け取る。また、制御装置
４０は、冷却装置５０、および外部出力装置５５０を制御する。詳細については後述する
。
【００５９】
制御装置４０には、受光器１１から検出された可視光線の光量の情報が入力される。制
御装置４０は、入力された可視光線の光量の情報に基づいて、例えば、発光管５１０に発
生した失透ＤＰの度合いを判断する。すなわち、制御装置４０は、受光器１１によって検
出された所定の可視光線の光量に基づいて、発光管５１０の劣化状態を判断する。
【００６０】
次に、制御装置４０による発光管５１０の劣化状態の判断について説明する。
図３に示すように、発光管５１０に失透ＤＰが発生すると、失透ＤＰを通る光Ｌは散乱
する。そのため、発光管５１０を直進して透過する光Ｌは減少する。散乱された散乱光Ｓ
Ｌは進行する角度が変わるため、散乱光ＳＬの多くは、例えば、図１に示す平行化レンズ
３０５等の光学部品に入射されない。これにより、発光管５１０に失透ＤＰが発生すると
プロジェクター５００Ａから射出される光の照度が低下する。
【００６１】
ここで、失透ＤＰによって散乱される度合いは、入射する光の波長によって異なる。図
５は、波長ごとの発光管５１０を通る光の直進透過率を示すグラフの一例である。図５に
おいて、横軸は、波長［ｎｍ］を示しており、縦軸は、直進透過率［％］を示している。
図５には、失透前の発光管と失透後の発光管とのそれぞれについて示している。
【００６２】
図５に示すように、失透後における直進透過率は、光の波長が短いほど低くなる。すな
わち、短い波長の光ほど、失透ＤＰによる光の散乱度合いは大きくなり、失透前と失透後
とにおける直進透過率の差が大きくなる。具体的には、図５より、赤色光Ｒは失透前と失
透後とで直進透過率がほぼ変わらないのに対して、失透後の青色光Ｂの直進透過率は、失
透前に比べて約２５％低下することが確かめられる。
【００６３】
なお、図５において、青色光Ｂは、一例として、波長が４３５．８ｎｍの光として示し
ている。赤色光Ｒは、一例として、波長が７００ｎｍの光として示している。これは、国
際照明委員会の定めたＲＧＢ表色系における原色の波長の値である。
【００６４】
以上のように、青色光Ｂと赤色光Ｒとでは青色光Ｂの方が失透ＤＰに散乱されやすいた
め、失透ＤＰが生じると、発光管５１０を通過する前と後とで、放電灯９０の光に含まれ
る赤色光Ｒの光量に対する青色光Ｂの光量の比が小さくなる。これにより、放電灯９０か
ら射出された光、すなわち、発光管５１０を通過した光に含まれる青色光Ｂの光量と赤色
光Ｒの光量との比を検出することで、発光管５１０における失透ＤＰの発生を検出できる
。
【００６５】
具体的に制御装置４０は、例えば、アークＡＲから放出される光に含まれる青色光Ｂの
光量と赤色光Ｒの光量とが同じである場合には、発光管５１０を直進して透過した光に含
まれる青色光Ｂの光量が赤色光Ｒの光量よりも少なければ、発光管５１０に失透ＤＰが生
じたと判断する。また、制御装置４０は、赤色光Ｒの光量に対する青色光Ｂの光量の比の
大きさに応じて、失透ＤＰが生じた程度を判断する。
【００６６】
以上のようにして、本実施形態の制御装置４０は、青色光Ｂの光量と赤色光Ｒの光量と
の比に基づいて、発光管５１０の劣化状態を判断する。
【００６７】
次に、判断した発光管５１０の劣化状態に基づいた制御装置４０の制御について説明す
る。
本実施形態において制御装置４０は、判断した発光管５１０の劣化状態に基づいて冷却
装置５０を制御する。具体的には、制御装置４０は、例えば、発光管５１０に失透ＤＰが
発生したと判断した場合、失透ＤＰの程度に応じて、冷却装置５０による放電灯９０の冷
却度合を大きくする。
【００６８】
本実施形態において制御装置４０は、判断した発光管５１０の劣化状態に基づいて放電
灯点灯装置１０を制御する。具体的には、制御装置４０は、例えば、発光管５１０に失透
ＤＰが発生したと判断した場合、放電灯点灯装置１０によって放電灯９０に供給される駆
動電流Ｉの駆動電流波形を、高周波の割合が大きい駆動電流波形とする。放電灯点灯装置
１０は、例えば１ｋＨｚより大きい周波数を有する駆動電流Ｉを放電灯９０に供給する。
【００６９】
本実施形態において制御装置４０は、判断した発光管５１０の劣化状態に基づいて外部
出力装置５５０に劣化状態を示す状態信号を出力させる。具体的には、制御装置４０は、
例えば、発光管５１０に失透ＤＰが発生し放電灯９０を交換する必要があると判断した場
合、外部出力装置５５０によって、使用者に放電灯９０を交換する必要があることを知ら
せる。
【００７０】
上記説明した構成は、プロジェクター５００Ａの制御方法としても表現できる。すなわ
ち、本実施形態のプロジェクター５００Ａの制御方法は、発光管５１０を有し光を射出す
る放電灯９０と、放電灯９０から射出される光を画像信号に応じて変調する液晶ライトバ
ルブ３３０Ｒ，３３０Ｇ，３３０Ｂと、液晶ライトバルブ３３０Ｒ，３３０Ｇ，３３０Ｂ
により変調された光を投射する投射光学系３５０と、を備えるプロジェクターの制御方法
であって、放電灯９０から射出される光のうち所定の可視光線を検出することと、検出し
た所定の可視光線の光量に基づいて、発光管５１０の劣化状態を判断することと、を含む
ことを特徴とする。
【００７１】
本実施形態によれば、制御装置４０は、所定の可視光線の光量に基づいて発光管５１０
の劣化状態を判断する。そのため、放電灯９０の劣化状態をより正確に把握することがで
きる。これにより、劣化した放電灯９０に対して適切に処置することが可能であり、放電
灯９０の寿命を向上させることができる。
【００７２】
また、例えば、アークＡＲから放出される光の光量が変化する場合、１種類の可視光線
の光量を検出するのみによっては、検出する可視光線の光量が失透ＤＰによって減少した
かどうかを判断しにくい。
【００７３】
これに対して、本実施形態によれば、制御装置４０は、波長が異なる２種類の可視光線
の光量の比に基づいて、発光管５１０の劣化状態を判断する。そのため、アークＡＲから
放出される光の光量が変化した場合であっても、異なる２種類の可視光線の光量の比の変
化を検出することで、発光管５１０の劣化状態を判断できる。
【００７４】
また、本実施形態によれば、制御装置４０は、短波長域の光である青色光Ｂの光量と、
長波長域の光である赤色光Ｒの光量との比に基づいて、発光管５１０の劣化状態を判断す
る。図５に示すように、青色光Ｂと赤色光Ｒとでは、失透ＤＰが生じる前後で変化する直
進透過率の変化量の差が大きい。そのため、失透ＤＰが生じた際に、検出される青色光Ｂ
の光量と赤色光Ｒの光量との比の値を大きくできる。これにより、発光管５１０に失透Ｄ
Ｐが生じたことを迅速に検出でき、かつ、失透ＤＰの度合いをより精度よく検出できる。
【００７５】
また、本実施形態によれば、青色光受光器１１Ｂおよび赤色光受光器１１Ｒは、放電灯
９０と液晶ライトバルブ３３０Ｒ，３３０Ｇ，３３０Ｂとの間の光路上に配置される。そ
のため、液晶ライトバルブ３３０Ｒ，３３０Ｇ，３３０Ｂによって変調される前の各色光
の光量を検出できる。これにより、失透ＤＰによる青色光Ｂの光量と赤色光Ｒの光量との
比の変化を検出しやすい。したがって、本実施形態によれば、発光管５１０の劣化状態を
より精度よく判断できる。
【００７６】
また、発光管５１０に失透ＤＰが発生すると、発光管５１０の内部、すなわち、放電空
間９１内の温度が上昇する。これは、失透ＤＰによって散乱した光が発光管５１０の内部
に照射されるためであると考えられる。発光管５１０の内部の温度が上昇し、高温となる
と発光管５１０が損傷する虞がある。
【００７７】
これに対して、本実施形態によれば、制御装置４０は、判断した発光管５１０の劣化状
態に基づいて冷却装置５０を制御する。そのため、失透ＤＰが発生したことを検出した場
合に、放電灯９０の冷却度合を大きくすることで、発光管５１０の内部が高温となること
を抑制できる。したがって、本実施形態によれば、発光管５１０が高温となって損傷する
ことを抑制できる。
【００７８】
また、本実施形態によれば、制御装置４０は、判断した発光管５１０の劣化状態に基づ
いて放電灯点灯装置１０を制御する。そのため、失透ＤＰが発生した場合に、放電灯点灯
装置１０によって放電灯９０に供給される駆動電流Ｉの駆動電流波形を、高周波の割合が
大きい駆動電流波形とできる。これにより、失透ＤＰがさらに進行することを抑制できる
。
【００７９】
また、本実施形態によれば、制御装置４０は、判断した発光管５１０の劣化状態に基づ
いて、外部出力装置５５０に発光管５１０の劣化状態を示す状態信号を出力させる。その
ため、発光管５１０に失透ＤＰが発生し放電灯９０を交換する必要が生じた場合に、放電
灯９０を交換する必要があることをプロジェクター５００Ａの使用者に伝えることができ
る。これにより、使用者は、適切なタイミングで放電灯９０を交換することができる。
【００８０】
なお、本実施形態においては、以下の構成および方法を採用することもできる。
【００８１】
上記説明においては、制御装置４０は、判断した発光管５１０の劣化状態に基づいて、
冷却装置５０、放電灯点灯装置１０、および外部出力装置５５０を制御する構成としたが
、これに限られない。本実施形態においては、制御装置４０は、判断した発光管５１０の
劣化状態に基づいて、冷却装置５０、放電灯点灯装置１０、および外部出力装置５５０の
うちのいずれか１つまたは２つを制御する構成としてもよい。
【００８２】
また、本実施形態においては、受光器が、例えば、図４に二点鎖線で示す撮像装置（検
出部）１２であってもよい。撮像装置１２は、例えば、ＣＣＤ（Ｃｈａｒｇｅ−Ｃｏｕｐ
ｌｅｄ  Ｄｅｖｉｃｅ）イメージセンサーである。
【００８３】
この構成において、投射光学系３５０からスクリーン７００上に投射された光は、スク
リーン７００上で反射され、撮像装置１２に入射する。撮像装置１２は、入射された光に
含まれる青色光Ｂおよび赤色光Ｒを検出する。すなわち、撮像装置１２は、投射光学系３
５０から射出される光のうち所定の可視光線を検出する。
【００８４】
この構成において制御装置４０は、例えば、プロジェクター５００Ａを点灯した直後等
に、撮像装置１２によって検出された所定の可視光線の光量に基づいて、発光管５１０の
劣化状態を判断する判断期間を設ける。判断期間において制御装置４０は、投射光学系３
５０から射出された光に含まれる青色光Ｂの光量の割合および赤色光Ｒの光量の割合が、
液晶ライトバルブ３３０Ｒ，３３０Ｇ，３３０Ｂに入射される前の光に含まれる青色光Ｂ
の光量の割合と赤色光Ｒの光量との比と同じとなるように液晶ライトバルブ３３０Ｒ，３
３０Ｇ，３３０Ｂを制御する。
【００８５】
この構成において制御装置４０は、例えば、所定の可視光線の光量と液晶ライトバルブ
３３０Ｒ，３３０Ｇ，３３０Ｂの劣化状態とに基づいて、発光管５１０の劣化状態を判断
する。
【００８６】
例えば、液晶ライトバルブ３３０Ｒ，３３０Ｇ，３３０Ｂが劣化している場合、投射光
学系３５０から射出される光の変調度合いに誤差が生じる。このような場合、変調度合い
の誤差の分だけ、青色光Ｂの光量あるいは赤色光Ｒの光量が変化するため、失透ＤＰによ
る青色光Ｂの光量と赤色光Ｒの光量との比の変化を正確に検出しにくい場合がある。これ
により、発光管５１０の劣化状態を正確に判断しにくい場合がある。
【００８７】
これに対して、この構成によれば、液晶ライトバルブ３３０Ｒ，３３０Ｇ，３３０Ｂの
劣化状態に基づいて、発光管５１０の劣化状態を判断する。そのため、撮像装置１２によ
って検出される青色光Ｂの光量および赤色光Ｒの光量を、液晶ライトバルブ３３０Ｒ，３
３０Ｇ，３３０Ｂによる変調度合いの誤差に応じて補正できる。したがって、発光管５１
０の劣化状態を正確に判断しやすい。
【００８８】
また、この構成によれば、撮像装置１２がプロジェクター５００Ａ内において光路を遮
ることがないため、撮像装置１２に起因して投射光学系３５０から射出される光の光量が
減少することがない。
【００８９】
なお、この構成において制御装置４０は、投射光学系３５０から射出された光に含まれ
る青色光Ｂの光量の割合および赤色光Ｒの光量の割合が、液晶ライトバルブ３３０Ｒ，３
３０Ｇ，３３０Ｂに入射される前の光に含まれる青色光Ｂの光量の割合および赤色光Ｒの
光量の割合と異なる場合に、発光管５１０の劣化状態を判断してもよい。
【００９０】
この場合においては、制御装置４０は、例えば、液晶ライトバルブ３３０Ｒ，３３０Ｇ
，３３０Ｂによって変調されて投射光学系３５０から射出された光に含まれる青色光Ｂの
光量の割合および赤色光Ｒの光量の割合を、画像信号５１２Ｒ，５１２Ｇ，５１２Ｂを基
に把握する。そして、制御装置４０は、画像信号５１２Ｒ，５１２Ｇ，５１２Ｂを基に把
握した青色光Ｂの光量の割合および赤色光Ｒの光量の割合と、撮像装置１２による可視光
線の光量の情報とによって、発光管５１０の劣化状態を判断する。これにより、投射光学
系３５０から射出される光が、液晶ライトバルブ３３０Ｒ，３３０Ｇ，３３０Ｂによって
どのように変調された場合であっても、発光管５１０の劣化状態を判断できる。
【００９１】
また、本実施形態においては、例えば、図６に示すような構成を採用することもできる
。図６は、本実施形態の他の一例であるプロジェクター５００Ｂの部分を示す図である。
プロジェクター５００Ｂは、図６に示すように、受光器（検出部）１３を備える。受光
器１３は、例えば、主反射鏡１１２と平行化レンズ３０５との間の光路上に配置される。
【００９２】
受光器１３には、主反射鏡１１２で反射され平行化レンズ３０５に入射する光Ｌの一部
が入射する。受光器１３は、所定の可視光線を検出する。受光器１３が検出する所定の可
視光線は、例えば、短波長域の光である青色光Ｂである。
【００９３】
上述したように、失透ＤＰによって散乱した光は光路上から外れるため、失透ＤＰが発
生すると、光Ｌに含まれる青色光Ｂの光量が減少する。したがって、この構成において制
御装置４０は、受光器１３によって検出される青色光Ｂが減少した場合に、発光管５１０
に失透ＤＰが発生したと判断する。
【００９４】
例えば、放電灯９０が劣化して放電灯９０の電極間距離が大きくなると、アークＡＲの
発光体積が大きくなり、放電灯９０から射出される光Ｌの角度が広がる。そのため、光Ｌ
の一部は、放電灯９０から投射光学系３５０までの光路を進むに従って、配置された光学
部品によってけられ光路から外れる。その結果として、投射光学系３５０から射出される
光の照度が低下する。この場合、プロジェクター５００Ｂ内の光路を通る光Ｌに含まれる
青色光Ｂの光量の減少が、失透ＤＰに起因するか、電極間距離が大きくなったことに起因
するかを判断するのは困難である。
【００９５】
これに対して、この構成によれば、受光器１３は、主反射鏡１１２と、主反射鏡１１２
によって反射される光Ｌが入射する平行化レンズ３０５と、の間に配置される。電極間距
離が大きくなることにより光Ｌの角度が広がった場合であっても、放電灯９０に比較的近
い位置においては、光路から外れる光Ｌの光量は比較的少ない。したがって、制御装置４
０は、受光器１３によって青色光Ｂの光量が大きく減少した場合には、発光管５１０に失
透ＤＰが生じたと判断することができる。
【００９６】
このように、この構成によれば、１種類の波長の光の光量を検出することによって発光
管５１０の劣化状態を判断できる。そのため、配置する受光器１３の数を１つとでき、プ
ロジェクター５００Ｂの構成を簡単にできる。また、プロジェクター５００Ｂの部品点数
を削減できるため、製造コストを低減できる。
【００９７】
なお、この構成のように受光器１３が１つのみ設けられる場合、制御装置４０は、所定
の可視光線の光量と放電灯９０の電極間電圧とに基づいて、発光管５１０の劣化状態を判
断してもよい。この構成によれば、電極間電圧に基づいて電極間距離を検出できるため、
電極間距離が大きくなることに起因して低下する光量を求めることができる。したがって
、受光器１３がいずれの位置に配置された場合であっても、青色光Ｂの光量の減少が、失
透ＤＰに起因するか、電極間距離が大きくなったことに起因するかを判断できる。その結
果、発光管５１０の劣化状態を判断できる。
【００９８】
なお、この構成において、例えば、平行化レンズ３０５が設けられない場合には、主反
射鏡１１２によって反射される光Ｌが入射する光学部品は、例えば、マルチレンズアレイ
３１１である。
【００９９】
また、上記説明においては、１種類の波長の光、または２種類の波長の光を検出するこ
とで、発光管５１０の劣化状態を判断したが、これに限られない。本実施形態においては
、３種類以上の波長の光を検出して発光管５１０の劣化状態を判断してもよい。
【０１００】
また、本実施形態において、検出される光の波長域は、短波長域および長波長域にかぎ
られず、例えば、中波長域であってもよい。中波長域の光とは、例えば、緑色光Ｇである
。また、本実施形態において受光器１１によって検出される可視光線の波長は、特に限定
されない。
【０１０１】
また、本実施形態において、上記説明した受光器１１〜１３は、光路上から外れた位置
に配置されてもよい。この場合、受光器１１〜１３は、光路から漏れた光を検出する。
【０１０２】
なお、上記の実施形態において、透過型のプロジェクターに本発明を適用した場合の例
について説明したが、本発明は、反射型のプロジェクターにも適用することも可能である
。ここで、「透過型」とは、液晶パネル等を含む液晶ライトバルブが光を透過するタイプ
であることを意味する。「反射型」とは、液晶ライトバルブが光を反射するタイプである
ことを意味する。なお、光変調装置は、液晶パネル等に限られず、例えばマイクロミラー
を用いた光変調装置であってもよい。
【０１０３】
また、上記の実施形態において、３つの液晶パネル５６０Ｒ，５６０Ｇ，５６０Ｂ（液
晶ライトバルブ３３０Ｒ，３３０Ｇ，３３０Ｂ）を用いたプロジェクター５００Ａの例を
挙げたが、本発明は、１つの液晶パネルのみを用いたプロジェクター、４つ以上の液晶パ
ネルを用いたプロジェクターにも適用可能である。
【０１０４】
また、上記説明した各構成は、相互に矛盾しない範囲内において、適宜組み合わせるこ
とができる。
【符号の説明】
【０１０５】
１０…放電灯点灯装置（放電灯駆動部）、１１，１３…受光器（検出部）、１１Ｂ…青
色光受光器（検出部）、１１Ｒ…赤色光受光器（検出部）、１２…撮像装置（検出部）、
４０…制御装置（制御部）、５０…冷却装置、９０…放電灯、１１２…主反射鏡（反射鏡
）、３０５…平行化レンズ（光学部品）、３３０Ｒ，３３０Ｇ，３３０Ｂ…液晶ライトバ
ルブ（光変調装置）、３５０…投射光学系、５００Ａ，５００Ｂ…プロジェクター、５０
２，５１２Ｒ，５１２Ｇ，５１２Ｂ…画像信号、５１０…発光管、５５０…外部出力装置
、Ｂ…青色光（第１可視光線）、Ｒ…赤色光（第２可視光線）
【図１】
2016173451.tif 000003
【図２】
2016173451.tif 000004
【図３】
2016173451.tif 000005
【図４】
2016173451.tif 000006
【図５】
2016173451.tif 000007
【図６】
2016173451.tif 000008